(57)【要約】【課題】画像データをコンピュータ画面上に自由にレイアウトし、閲覧やプリンタによる印刷ができ、データの再利用を容易に行うことができるようにする。【解決手段】レイアウト作成手段により所望のレイアウトを作成し、指定手段（ドラッグ）により目的の画像データを指定し、画像データ登録手段により指定された画像データを所定位置に貼り付けて（ドロップ）入力することにより任意のレイアウトの画像を作成する。患者番号、日付時刻、画像種別及び部位からなる必須項目により作成されたファイル名を有する患者別フォルダに入力した画像データを格納し、患者番号を入力することにより患者別フォルダから画像データの閲覧や印刷を行い、ファイル名からデータの内容を判断し再利用を行う。【選択図】　図１５
2004013509.tif 000002
【特許請求の範囲】
【請求項１】
歯科診療及び医療に利用する各種画像を含むデータ（以下、画像データ）を入力してコンピュータ画面上に表示し、所望の情報を入力する歯科診療及び医療用画像データのレイアウト表示システムにおいて、
画面上の複数のレイアウト用の画像表示枠の大きさ及び位置を画定するための画像座標を記憶させることにより所望のレイアウトを作成するレイアウト作成手段と、
該画像表示枠の所望の位置に貼り付ける所定の画像データを指定する指定手段と、
指定手段により指定された画像データを所定位置に貼り付けることにより、各画像データを独立したファイルとして登録する画像データ登録手段とからなることを特徴とする歯科診療及び医療用画像データのレイアウト表示システム。
【請求項２】
前記画像表示枠は撮影部位ごとに配置が決定されており、画像データを所定の画像表示枠に貼り付けることにより自動的に画像データの部位がファイル名に付加されて登録されることを特徴とする請求項１記載の歯科診療及び医療用画像データのレイアウト表示システム。
【請求項３】
画像データが登録された日付時刻がファイル名に付加されて登録されることを特徴とする請求項１又は２記載の歯科診療及び医療用画像データのレイアウト表示システム。
【請求項４】
レイアウト作成手段は、所定の写真表示法の他、任意のレイアウトをテンプレートとして登録するテンプレート作成手段を有することを特徴とする請求項１〜３のいずれか記載の歯科診療及び医療用画像データのレイアウト表示システム。
【請求項５】
前記画像データ登録手段から登録された画像データを個体識別フォルダに格納する個体識別フォルダ格納手段とからなることを特徴とする請求項１〜４のうちいずれか記載の歯科診療及び医療用画像データのレイアウト表示システム。
【請求項６】
前記個体識別フォルダは、歯科診療及び医療用の患者別フォルダであることを特徴とする請求項１〜５のうちいずれか記載の歯科診療及び医療用画像データのレイアウト表示システム。
【請求項７】
患者別フォルダ名は、患者番号等の識別番号に、患者氏名等ユーザの識別可能な文字列を追加可能としたことを特徴とする請求項１〜６のいずれか記載の歯科診療及び医療用画像データのレイアウト表示システム。
【請求項８】
患者別フォルダに格納されたファイルの名称は、少なくとも患者番号等の識別番号と、日付時刻、画像種別及び部位のいずれか又は全てを含むことを特徴とする請求項１〜７のいずれか記載の歯科診療及び医療用画像データのレイアウト表示システム。
【請求項９】
患者別フォルダ内のファイルは、患者番号又は日付時刻及び画像種別等の必須項目をキーとして自動的に整理保存されることを特徴とする請求項１〜８のいずれか記載の歯科診療及び医療用画像データのレイアウト表示システム。
【請求項１０】
患者番号を入力することにより患者別フォルダ内に格納されている画像データを閲覧表示するための画像閲覧手段を起動することを特徴とする請求項１〜９のいずれか記載の歯科診療及び医療用画像データのレイアウト表示システム。
【請求項１１】
画像種別は、口腔内写真、デンタルＸ線写真、パノラマＸ線写真、セファロＸ線写真等の歯科診療に必要な写真、各種資料及び保険証等の画像を含むことを特徴とする請求項１〜１０のいずれか記載の歯科診療及び医療用画像データのレイアウト表示システム。
【請求項１２】
前記画像データは拡大表示、複数の画面の同時表示、部位別表示、日付別表示を可能としたことを特徴とする請求項１〜１１のいずれか記載の歯科診療及び医療用画像データのレイアウト表示システム。
【請求項１３】
画面上又は印刷された画像データの実際の測定値を入力することにより拡大縮小率を計算して、実際寸法を含む任意の寸法で画面上に表示又は印刷するようにしたことを特徴とする請求項１〜１２のいずれか記載の歯科診療及び医療用画像データのレイアウト表示システム。
【請求項１４】
画像データは、静止画像の他、動画、音声を含むことを特徴とする請求項１〜１３のいずれか記載の歯科診療及び医療用画像データのレイアウト表示システム。
【発明の詳細な説明】
【０００１】
【発明の属する技術分野】
本発明は、歯科診療及び医療用の画像データの管理及び利用法に関するものである。
【０００２】
【従来の技術】
従来の歯科診療における画像データの扱いは以下の方法が採られている。
【０００３】
すなわち、コンピュータを利用しない方法の場合、Ｘ線フィルムや３５ｍｍリバーサルフィルムを用いて患者の口腔内を撮影し、撮影後にフィルムを現像して、Ｘ線フィルム専用マウントやプラスチック製スライドファイルへ保存する。この方法では、データを保存するために、Ｘ線フィルム専用マウントやプラスチック製スライドフィルムの保管場所が必要であるとともに、保管後にデータが必要なときに、データの検索に手間と時間がかかる。また、Ｘ線フィルムや３５ｍｍリバーサルフィルムの現像や現像装置のメンテナンスに手間やコストがかかるという問題がある。
【０００４】
これらの問題は、コンピュータを用いて画像をデジタル化することにより解決する。すなわち、コンピュータを使用する場合、Ｘ線写真やスライド写真を用いる場合は、これらをスキャナにより取り込み、コンピュータのハードディスク等の外部記憶装置へ保存し、デジタルカメラを用いる場合は、撮影した画像を直接コンピュータのハードディスク等の外部記憶装置へ保存する。また、例えば富士写真フィルム（株）社製のイメージングプレート（ＩＰ）を用いる場合は、ＩＰスキャナにより取り込み、コンピュータのハードディスク等の外部記憶装置へ保存するという方法がとられる。
【０００５】
このように、画像データはハードディスク等の外部記憶装置へ保存することができるので、データの保管スペースを確保する必要はなく、また、フィルムを現像することもないので、現像や現像機のメンテナンスにかかる手間やコストを削減することができる。
【０００６】
例えば、画像データ処理の一例として、特開２００２−７３８１２公報に示されるものがある。これに示されるものは、マウスクリック等の操作入力によりレイアウト作成欄内にて指定されたセルを画像領域として選択し、選択した各画像領域の位置（セルの行と列）をそれぞれ記憶し、各画像領域をレイアウトの構成要素として対応付けて記憶する。すなわち、図４８の黒く塗られたマス目のようにマス目を選ぶことにより並べ方を指定する。その後、画像一覧画面を表示して、画像の一覧から画像が選択された順番に、それぞれ対応した各画像領域に画像を表示していき、任意のレイアウトの口腔内画像を作成するものである。
【０００７】
【発明が解決しようとする課題】
しかしながら、前記の特開２００２−７３８１２公報に示されるものは、レイアウトのパターン、大きさ、位置に限りがあり、自由なレイアウトといえるものではない。また、画像が選択された順に、画像領域に画像を表示するため、あらかじめ各画像領域の配置と、各画像領域に画像が表示される順番とを決めておかなければならないため、操作が面倒である。
【０００８】
このように、デジタル化されたデータの保存方法や利用方法については、従来のＸ線フィルム専用マウントのような標準化された方法が確立されておらず、デジタル化された画像データの管理を行うにあたっては次のようなことが問題点となっている。
【０００９】
すなわち、使用目的や、ユーザ個々の習慣又は好みにより必要なデータの並べ方が異っており、デンタルＸ線写真１０枚法や口腔内写真５枚法、１６枚法のように歯科治療で一般化している並べ方や、同一部位を時系列に並べる並べ方、その他独自の並べ方など、様々な並べ方をユーザが簡便に自由にレイアウトでき、また使用目的により迅速にレイアウトを選ぶことができない。
【００１０】
また、画像データの管理を行う際、キーボードによる部位、日付等の入力項目が多いため、特にコンピュータに慣れていないユーザに対して、デジタル化により逆に作業の負担をかけている。
【００１１】
さらには、従来は、画像データのファイル名が、識別不可能な記号からなるファイル名でデータベース中に登録されているため、ユーザがファイル名より個別のデータを識別することができず、他のソフトウエアで使用とする場合等データを再利用することが困難である。
【００１２】
本発明は、このような課題を解決するためのものである。
【００１３】
【課題を解決するための手段】
本発明は、上記のような従来の課題を解決するためのものであり、診療を行う際に利用する様々な画像データを自由にレイアウトし、任意に設定する条件により表示することができ、データの入力、整理、閲覧やプリンタによる印刷などの操作を簡便に行うことができるとともにデータの再利用が容易な歯科診療及び医療用画像データのレイアウト表示システムを提供することを目的とする。
【００１４】
前述した目的を達成するために、請求項１記載の本発明による歯科診療及び医療用画像データのレイアウト表示システムは、歯科診療及び医療に利用する各種画像データを入力してコンピュータ画面上に表示し、所望の情報を入力する歯科診療及び医療用画像データのレイアウト表示システムにおいて、
画面上の複数のレイアウト用枠の大きさ及び位置を画定するための画像座標を記憶させることにより所望のレイアウトを作成するレイアウト作成手段と、
該画像表示枠の所望の位置に貼り付ける所定の画像データを指定する指定手段と、
指定手段により指定された画像データを所定位置に貼り付けることにより、各画像データを独立したファイルとして登録する画像データ登録手段とからなることを特徴とする。
【００１５】
前記画像表示枠は撮影部位ごとに配置が決定されており、画像データを所定の画像表示枠に貼り付けることにより自動的に画像データの部位がファイル名に付加されて登録されることを特徴とする。
【００１６】
画像データが生成又は登録された日付時刻がファイル名に付加されて登録されることを特徴とする。
【００１７】
レイアウト作成手段は、所定の写真表示法の他、任意のレイアウトをテンプレートとして登録するテンプレート作成手段を有することを特徴とする。
【００１８】
前記画像データ登録手段から登録された画像データを個体識別フォルダに格納する個体識別フォルダ格納手段とからなることを特徴とする。
【００１９】
前記個体識別フォルダは、医療又は歯科診療用の患者別フォルダであることを特徴とする。
【００２０】
患者別フォルダ名は、患者番号等の識別番号に、患者氏名等ユーザの識別可能な文字列を追加可能としたことを特徴とする。
【００２１】
患者別フォルダに格納されたファイル名は、少なくとも患者番号等の識別番号と、日付時刻、画像種別及び部位のいずれか又は全てを含むことを特徴とする。
【００２２】
患者別フォルダ内のファイルは、患者番号又は日付時刻及び画像種別等の必須項目をキーとして自動的に整理保存されることを特徴とする。
【００２３】
患者番号を入力することにより患者別フォルダ内に格納されている画像データを閲覧表示するための画像閲覧手段を起動することを特徴とする。
【００２４】
画像種別は、口腔内写真、デンタルＸ線写真、パノラマＸ線写真、セファロＸ線写真等の歯科診療に必要な写真、各種資料及び保険証等の画像を含むことを特徴とする。
【００２５】
前記画像データは拡大表示、複数の画面の同時表示、部位別表示、日付別表示を可能としたことを特徴とする。
【００２６】
画面上又は印刷された画像データの実際の測定値を入力することにより拡大縮小率を計算して、実際寸法を含む任意の寸法で画面上に表示又は印刷するようにしたことを特徴とする。
【００２７】
画像データは、静止画像の他、動画、音声を含むことを特徴とする。
【００２８】
【発明の実施の形態】
以下、本発明の実施の形態を説明する。
【００２９】
本発明の歯科診療画像データのレイアウト表示システムは、歯科診療に利用する各種画像データをコンピュータ画面上に表示し、所望の情報を入力して操作を行うものである。基本的には、図４６に示すように、Ｘ線写真、口腔内写真等の画像データをスキャナ等で取り込み、分類手段によりファイル名称をつけて分類して患者別フォルダに保存する。そして、図４７に示すように、患者別フォルダより、目的とする画像データを検索して画面表示し、又は印刷等により利用する。
【００３０】
ファイル形式は、本ソフトではなくスキャナ、デジタルカメラ等の機器がデータを生成する時点で決定する。本ソフトは、データをフォルダに分類、保存する段階ではファイル形式を問わない。画面表示または印刷する段階では一般的な画像フォーマットであるＪＰＥＧやその他の画像フォーマットに対応できるようプログラムしている。
【００３１】
具体的には、画面上に所望のレイアウトを作成するレイアウト作成手段と、該レイアウトの所望の位置に貼り付ける所定の画像データを指定する指定手段と、指定手段により指定された画像データを所定位置に貼り付けて入力する画像データ登録手段とからなる。本実施の形態では、歯科診療用について説明しているが、医療用にも広く使用できるものである。本システムは、基本的に、画像取込整理手段、画像閲覧手段、レイアウト手段、個体識別フォルダ格納手段及び画像閲覧ソフト起動手段より構成されており、各手段に関して以下に詳述する。
【００３２】
画像取込整理手段は、画像のスキャン作業を自動化するものであり、今まで手動で行っていた操作のほとんどを自動で実行する。また、取り込まれた画像データを自動的に患者別フォルダへ移動、整理し、作業終了時には、ＬＡＮに接続された各コンピュータへメッセージを送る機能を有する。
【００３３】
画像取込整理手段の実行の流れを図１及び図２に示されるフローチャートに基づいて説明する。
【００３４】
まず、画像取込整理手段を起動すると、図３に示される画面が表示される。
【００３５】
次いで、画像を読み取るが、読み取る画像の一例としては、イメージングプレート（ＩＰ）に撮影されたＸ線写真が挙げられる。イメージングプレートは従来のＸ線写真と同様に撮影することができる感光体であり、Ｘ線撮影後にイメージングプレートをＩＰフォルダにセットし、スキャナのドラムにセットすることによりスキャナ側の準備が完了する。
【００３６】
次いで、図１に示される手動での作業を行う。
【００３７】
まず、図３の患者番号欄に患者番号を入力し、「患者検索」ボタンをクリックする（ステップ１００）。次いで、患者名簿データベースに入力した患者番号が存在するかどうかが判断され（ステップ１１０）、存在する場合は、図４に示される画面が表示されるので、正しい患者名が表示されたことを確認する（ステップ１２０）。一方、新患などで未登録のため該当する患者が見つからない場合は、図５に示される氏名入力画面が表示されるので、氏名を入力し、「ＯＫ」ボタンをクリックする（ステップ１３０）と、ステップ１２０へ移行する。次いで、図６に示されるようにイメージングプレートの種類（画像種別）を選択してクリックする（ステップ１４０）。次いで、図７に示されるように「実行」ボタンをクリックすると、画像の自動取り込み作業が開始される（ステップ１５０）。
【００３８】
ステップ１５０以降は、図２のソフトによる自動作業が行われる。
【００３９】
まず、既存の画像管理ソフト（例えば、ＯＲＥＸ社製Ｄｅｎｔ−Ａ−ＶＩＥＷ）のデータベースにデータが入力される（ステップ１６０）。次いで、イメージングプレートのスキャンが行なわれる（ステップ１７０）。次いで、画像ファイル名の作成・変更が行われる（ステップ１８０）。ここで、画像ファイル名は、画像データの入力によりファイルが更新された更新日時がファイル名として登録される。（なお、更新日時はコンピュータの時刻機能により自動的に入力される。）次いで、患者別フォルダ（個体識別フォルダ）が存在するかどうかを判断し（ステップ１９０）、存在する場合は、画像ファイルが患者別フォルダへ移動される（ステップ２００）。一方、ステップ１９０において存在しない場合は、患者別フォルダを作成し（ステップ２１０）、ステップ２００へ移行する。ステップ２００を実行後、ノイズの除去などの画像加工が行なわれる（ステップ２２０）。次いで、作業終了を各ユニットのパソコンへ通知する（ステップ２３０）。
【００４０】
次に、画像閲覧手段について説明する。画像閲覧手段はデジタル化されたデジタルＸ線写真を閲覧するソフトであり、画像データは１０枚法、１４枚法等のレイアウトで配置でき、画像データの登録、移動は、例えば、マイクロソフト社製のＯＳであるウインドウズ（登録商標）の基本機能であるドラッグ＆ドロップで行うことができる。ウインドウズの基本機能と異なる点は、ウインドウズでは、コピー先の画像表示枠を単に拡大縮小を行うものであるのに対し、本発明では、画像表示枠自体にファイル名が付いており、ファイル名が決定した枠内に画像データを貼り付けて（ペースト）してファイル名をつける点が異なっている。画像表示枠に付けられているファイル名は、患者番号等の識別番号、登録する日付時刻、画像種別、部位からなる所定桁数のファイル名である。具体的には、患者番号ｘｘｘｘ−日付時刻・・・・・・・・−画像種別ｘ−部位・である。このように、画像表示枠に単に貼り付けるのみで、自動的に画像データにファイル名が付けられて患者別フォルダに登録されることとなる。このように、ウインドウズその他のソフトウエアでは、ファイル名を画像表示枠自体で決定することは行っていない。このため、本発明では、画像データの部位別、日付別の表示が可能であり、患者番号のみで目的の画像を探し出すことができる。また、画像のノイズ除去、シャープ化、明るさ・コントラスト調整、反転、回転、拡大等の画像加工が可能であり、登録されているデータを指定して（ドラッグ）、本ソフトまたは他ソフト貼り付けにより（ドロップ）で取り出せ、再利用が容易である。さらには、撮影時とサイズが等しい状態での印刷が可能である。
【００４１】
画像閲覧手段は前述の画像取込整理手段による自動取り込みが終了すると起動し、図１１に示される画面が表示される。ここで、患者のデンタル画像を表示、編集する場合は「ＯＫ」ボタンをクリックし、表示する必要のない場合は「キャンセル」ボタンをクリックする。「ＯＫ」ボタンをクリックした場合、図１２に示される画面が表示され、新しく取り込まれた画像と、この例の場合１４枚法のレイアウトとが表示される。取り込まれた画像データをレイアウトの目的の位置に貼り付ける場合、図１３及び図１５に示されるように、貼り付けたい画像をドラッグし、レイアウトの該当部位の画像表示枠にドロップすることにより登録される。同一部位に過去に登録された画像がある場合は、ドロップするとその画像の上に貼り付けたい画像が表示される。レイアウト枠の上部には、日付が表示される枠があり、これが同一部位の画像の識別を可能にする。
【００４２】
また、画像の回転、裏返し、移動などの作業は、目的の画像をクリックし、選択された画像の枠が緑色になると行うことができる。例えば、画像を１８０°回転させたい場合は、画像取込整理手段の画面の上部にある１８０°回転のボタンをクリックすることにより行なわれ、画像の左右、上下を反転（裏返し）させたい場合は、画像取込整理手段の画面の上部にある反転のボタンをクリックすることにより行うことができる。
【００４３】
図１４に示されるように、レイアウト上に登録されている画像データを移動する場合は、移動したい画像データをドラッグし、移動先の枠にドロップすることにより行うことができる。
【００４４】
図１６に示されるように、複数の画面を同時に表示して各画像の拡大表示を行ったり、図１７に示されるように、同じ部位のものを時系列に一覧表示する部位別表示を行ったり、図１８に示されるように、日付を指定して日付別表示を行ったりすることもできる。
【００４５】
また、「印刷」ボタンをクリックすると、印刷確認画面が表示され、そこで「ＯＫ」ボタンをクリックすると、表示されている画像をそのままの配置で実寸印刷する。
【００４６】
さらに、画像閲覧手段は、すでに登録された画像を表示することができ、この場合、画像閲覧手段の起動後に画像取込整理手段を起動する。これにより図８に示される画面が表示され、特定の患者のデンタル画像を見たいときは、患者番号を入力し「ＯＫ」ボタンをクリッする。また、起動するだけの場合は「起動」ボタンをクリックする。患者番号がわからない場合は、図８の「名前検索」ボタンをクリックすると、図９に示される画面が表示される。ここで氏名を入力し、「検索」ボタンをクリックすると該当する患者の一覧が表示される。表示された患者名のうち目的の患者の名前をクリックし、「開く」ボタンをクリックすると、図１０に示されるように、目的の患者の画像閲覧手段の画面が表示される。この後、前述のような画像の加工や印刷を行うことができる。
【００４７】
次に、レイアウト手段について説明する。
【００４８】
レイアウト手段は、画像閲覧手段を拡張したものであり、各画像それぞれにコンピュータ画面上の任意の座標を持たせることにより、レイアウトのパターンに無限の組み合わせを可能としたものである。より詳しく説明すると、図４０に示されるように、画像表示枠１０の１つ１つに対し、画像識別番号、コンピュータ画面１２上での画像表示枠１０の座標（画像表示枠１０の左上隅のＸ座標、Ｙ座標）、画像表示枠１０の高さ（縦の長さ）ｈ及び幅（横の長さ）ｗをメモリー上に記憶させる。また、必要ならばハードディスクなどの記録媒体に記録し、テンプレートとして利用する。
【００４９】
また、各画像表示枠１０の大きさ、縦横比も枠ドラッグアンドドロップによりドット単位で自由に変更することが可能であるため、例えば、図３８や、図２４、図２５に示されるように、画像の大きさ、形状、位置が自由なレイアウトで配置することができるとともに、自由なレイアウトの画像データを表示したり印刷したりすることができる。これにより、歯科画像を独自の目的に合ったレイアウトで配置することができ、データの活用及び患者へのアピールを容易にすることができる。
【００５０】
なお、任意のレイアウトで画像を配置する場合は、レイアウト位置に対応した番号や部位を表示した対応表を用意するようにしても良い。これは画像閲覧手段に登録されている既存のレイアウト（例えば、１０枚法、１４枚法のレイアウト）の場合には、所定レイアウト位置に画像データが貼り付けられた場合、所定レイアウト位置は通常の歯科診療での上下左右位置の対応付けにより自動的に判断するようにしているため、図４１に示されるような画像データに対応する部位の入力は不要である。また、作成したレイアウトをテンプレートとして登録することができ（テンプレート作成手段）、登録したテンプレートを再利用することもできる。
【００５１】
次に、個体識別フォルダ格納手段について説明する。個体識別フォルダ格納手段は、画像閲覧手段のフォルダ自動作成、ファイル名自動変更機能と同じ作業を任意のファイルに対して行うソフトであり、これにより、デジタルカメラで撮影した画像や、スキャンされた各種資料やデジタル化前のデンタル写真やスライド写真の整理を大部分自動化することができる。
【００５２】
図２６に示されるフローチャートに従って個体識別フォルダ格納手段を使用したデジタル画像整理の流れを説明する。
【００５３】
デジタルカメラのデータを整理する場合、まず、デジタルカメラにより写真撮影を行い（ステップ２４０）、コンパクトフラッシュ（登録商標）やスマートメディアなどの記録媒体を取り出し、カードリーダによってデータをパソコンに取り込む（ステップ２５０）。次いで、個体識別フォルダ格納手段が画像の自動整理を開始する（ステップ２６０）。
【００５４】
また、スキャンされたデータを整理する場合、まず、スキャナにより、既存の紙に書かれた資料やスライドなどのデータを取り込み（ステップ２７０）、次いで、ステップ２６０が実行される。ステップ２６０が実行されると、図２７に示される画面が表示される。ここで、画像データを登録する患者の患者番号を入力して検索ボタンをクリックし、図２８に示されるように、登録する画像データの種類を選択し、部位を入力するとともに撮影やスキャンした日付を入力する（患者別フォルダ入力手段）（なお、日付日時はコンピュータの時刻機能により自動的に入力される。）（ステップ２８０）。
【００５５】
ここで、本実施の形態では、ファイル名を特定する項目として、患者番号、日付時刻、画像種別、部位は必須４項目としているが、重複しない場合には、これらのうちのいずれかの項目を省略することができる。例えば、保険証であれば撮影部位を省略することが可能であり、Ｘ線写真しか使用していない場合には、画像種別を省略することも可能である。しかし、写真の場合は部位を特定するために部位の指定は必要となる。但し、特定の部位のみの画像データを保管するような用途の場合には、省略することも可能である。
本発明では、ファイル名を特定する項目として、患者番号及び日付時刻を選択している理由は、患者氏名では、同姓同名の場合があること、生年月日でも同日の場合があること、保険証番号では変更する場合がある等の理由から患者番号を特に優先するものとしている。日付時刻は、日にちだけでは同日の画像はあるが、時刻まで特定することにより、基本的に同時刻の画像データは存在しないと考えられるため、識別可能であるためである。
なお、本実施の形態では、ファイル名の特定項目として、患者番号、日付時刻、画像種別、部位は必須４項目としているが、ユーザにより、ファイル名の特定項目を適宜選択、追加、変更するようにしても良いことは勿論である。例えば、患者氏名及び生年月日を患者番号に追加するようにしても良い。
【００５６】
次いで、図２９に示されるように、登録したい画像を画像閲覧手段の画面上から丸の部分へドラッグアンドドロップする。すると、図３０に示されるように、ドロップしたファイル名が左側の枠に表示され、右側の枠には「患者名」、「日付時刻」、「画像種別」から自動作成されたファイル名が表示されるので、これでよければ「フォルダへ送る」ボタンをクリックする（ステップ２９０）。次いで、患者別フォルダが存在するかどうかを判断し（ステップ３００）、存在する場合は画像ファイルの患者別フォルダへ移動する（ステップ３１０）。一方、ステップ３００において患者別フォルダが存在しない場合、患者別フォルダを作成し（ステップ３２０）、ステップ３１０へ移行する。
【００５７】
以上の操作で、選択された画像データのファイル名が変更され、患者別フォルダへ移動される。
【００５８】
なお、患者番号及び必須項目の全て又はいずれかを入力することにより、取り込まれた画像データを自動的に患者別フォルダに移動整理することも可能である。
【００５９】
患者番号を入力した場合の画像データ整理の流れを図４２のフローチャートに基づいて説明する。
まず、▲１▼患者番号を入力する（ステップ４００）。次いで、患者名簿データベースに存在するかどうかを判断し（ステップ４１０）、存在するなら患者名を表示して確認する（ステップ４２０）。一方、ステップ４１０にて存在しないなら、患者名簿へ登録し（ステップ４３０）、ステップ４２０へ移行する。次いで、▲２▼画像の種類を選択し（ステップ４４０）、画像データをドロップする（ステップ４５０）。次いで、▲３▼データファイル作成日時を取得し（ステップ４６０）、▲１▼及び▲２▼を基に、移動先フォルダ名を取得する（ステップ４７０）。次いで、移動先フォルダが存在するかどうかを判断し（ステップ４８０）、存在する場合は、ファイルを移動する（ステップ４９０）。一方、ステップ４８０において移動先フォルダが存在しない場合、移動先フォルダを新規作成し（ステップ５００）、ステップ４９０へ移行する。次いで、▲１▼、▲２▼及び▲３▼を基にファイル名を作成し（ステップ５１０）、ファイル名を変更する（ステップ５２０）。
【００６０】
図３３にフォルダ構造を表した図を示す。これに示されるように、患者別フォルダ名は、患者番号と患者氏名とを用いて付けられており、まず、「７００１〜７１００」のように１００番ごとにフォルダを分け、その中に患者番号と患者氏名を用いた「７０３５ベル花子」という名前の個人別フォルダが作成される。その個人別フォルダ中で、画像の種類により、Ｐｈｏｔｏ（口腔内写真）、Ｘ−Ｄ（デンタルＸ線写真）、Ｘ−Ｐ（パノラマＸ線写真）、Ｘ−Ｃ（セファロＸ線写真）、Ｐａｐｅｒ（各種資料）、Ｋｅｎｐｏ（保険証）などのフォルダに分類される。
【００６１】
なお、画像の種類は、前記のものだけに限らず、各種資料や顔面写真等の使用頻度は低いが歯科医療に使用されることがありうる写真も勿論含むものである。
【００６２】
次に、画像閲覧ソフト起動手段について説明する。これは、患者番号を入力するだけで、その患者の患者別フォルダへ自動的に移動して、画像閲覧ソフトを起動するものであり、機能は単純だが、ファイル名を画像データが特定できるような名称のつけ方にしているため、従来のような画像データの格納場所とファイル名の対応表であるデータベースを利用することなく、高速に目的の画像を表示することができる。すなわち、ファイル名を、所定桁数の患者番号に日付及画像種別を入れた所定の桁数からなるファイル名称としているので、画像データの特定をユーザが容易に行うことができる。このように、本発明では、ユーザがファイル名称を識別して画像データに直接アクセス可能としているため、画像データを他のソフトウエアで使用することができる等応用範囲が格段に広くなる。但し、ユーザが画像データに直接アクセス可能とすることにより、誤って画像データを削除することを防止するため、データ利用履歴（ログファイル）を残しておき、且つ定期的にデータのバックアップをとるようにすると良い。
【００６３】
次に、図３９のフローチャートに従ってデジタル画像閲覧の流れを説明する。
【００６４】
画像閲覧ソフト起動手段と既存の画像閲覧ソフトウエアを併用して使用する場合、まず、画像閲覧ソフト起動手段を起動し、図１９に示される画面において、画像を閲覧したい患者の患者番号を入力し、「開く」ボタンをクリックする（ステップ３２０）。次いで、自動的に目的の患者別フォルダを見つけて画像閲覧ソフトが起動する（ステップ３３０）。次いで、画像閲覧画面から目的の画像を見つける（ステップ３４０）。次いで、画像が表示される（ステップ３５０）。
【００６５】
また、画像閲覧手段を使用する場合、まず、画像閲覧手段を起動し、図１９に示される画面で、「開く」ボタンをクリックすると、図２１に示される画面が表示される。ここで、画像を閲覧したい患者の患者番号を入力し、「ＯＫ」ボタンをクリックする（ステップ３６０）。次いで、図２２に示される患者別レイアウト画面が表示される（ステップ３７０）。次いで、ステップ３５０に移行する。
【００６６】
次に、レイアウト手段を使用する場合、まず、レイアウト手段を起動し、図２３に示される画面から目的にあったレイアウトを選択すると、図２１に示される画面が表示される。次に、画像を閲覧したい患者番号を入力し「ＯＫ」ボタンをクリックすると（ステップ３６０）、図２４や図２５のように先に選択した任意のレイアウトで、目的の画像が表示される（ステップ３７０）。次いで、ステップ３５０に移行する。
【００６７】
次に、画像データの印刷方法について説明する。
【００６８】
図３４及び図３５は、画像閲覧手段を用いた印刷の例であるが、前述の画像の閲覧の場合と同様に、画像閲覧手段を起動し、図２０に示される画面で、「開く」ボタンをクリックする。図２０では、同一部位の画像は、一つの画像表示枠に時間順に並べられている。画像表示枠の上部に日付が表示されている。ファイル、ツール、ヘルプの下の□には、右矢印（←）、左矢印（→）が書かれたボタンがあり、それを押すことによって指定した画像表示枠の画像を、前後の日付の画像へ表示を切り替えることができる。次に、図２１に示される画面で、印刷したい患者の患者番号を入力し、「ＯＫ」ボタンをクリックし、図３４で示される画像閲覧手段の画面を表示させる。この画面から、例えば、図３５（ａ）、（ｂ）、（ｃ）に示されるように画像データを実際寸法をはじめとする任意の寸法で印刷することができる。
【００６９】
実際寸法で印刷する方法としては、テスト印刷して印刷されたものの寸法を測り、この値と、実際の物差しで測定した値とをコンピュータに入力することにより拡大縮小率を自動で計算して決定するようにする。また、コンピュータの画面上で拡大縮小率を決定することもできる。この場合、画面上に拡大縮小を示すスケールが左右又は上下矢印等により設けられており、画面上の対象物をスケールに基づいて拡大又は縮小して実際に物差しで測定した値と同じ大きさにすることにより行なわれる。以後、実際寸法での印刷が可能となる。また、この機能の利用例としてパントモＸ線写真は、通常実際の寸法よりも約１．３倍の大きさに写るが、インプラントの長さ決定のためには、Ｘ線像に撮影した金属製スケールを実際の寸法に換算する必要がある。しかし、この機能を使用することにより、自動的に補正されて実際の寸法で印刷されるので、ユーザが補正のための換算を行う必要がない。
【００７０】
なお、レイアウト手段の場合も前記画像閲覧手段を用いた印刷と同様に行うことができる。
【００７１】
次に、画像データの再利用方法について説明する。
【００７２】
画像閲覧手段からデータを出力する方法は、まず、図３６に示されるように、画像閲覧手段の画面をデスクトップにコピーし、そこからファイルとして利用する。または他のソフトで利用したい画像を画面上でドラッグし、利用するソフトの作業領域やフォルダへドロップする。例えば、既存の画像加工ソフトの作業領域にドロップすることにより画像を加工することができ、図３７に示されるように、既存のメーラソフトにドロップすることにより画像データを直接メールで送ることができる。
【００７３】
また、データの保存されているフォルダから他のソフトを用いて直接画像データを利用することも可能であり、この場合、まず、目的とする画像の患者番号が含まれるフォルダを選択し、患者番号と患者氏名を頼りに目的の患者のフォルダを見つけ、図３１に示されるように、患者フォルダの中から、目的の画像の種類を表したフォルダを開くと、図３２に示されるように、患者の画像データファイルが表示されるので、これらを他のソフトで利用することができる。また、他のソフトから直接画像データファイルを指定することも可能である。
【００７４】
このような画像データの再利用方法は、ファイル名の付け方を患者名・日付・画像種別・部位としていることにより画像データをユーザが特定しやすくなっているため可能となった機能である。
【００７５】
なお、本実施の形態では、歯科医療に関して説明したが、これに限定されるものではなく、歯科医療以外の医療用写真、例えば、内科、外科、整形外科診療等で使用する胸部や脚部等の人体のＸ線写真に適用することも勿論可能である。特に、画像データの日付管理が可能なため、時系列的な変化を観察する場合も容易に画像データを配列して閲覧することができるため、一目瞭然に経過観察を行うことができるので、医師の診断の補助ツールとして大変有効である。
【００７６】
また、本実施の形態では、ファイル名のつけ方を患者別フォルダとして説明したが、これ以外にも、医療事務用として仕入れ先の伝票、書類等の管理に使用する場合には、取引先別フォルダとして使用することも可能である。
【００７７】
各種データの整理方法の他の実施の形態を図４３に基づいて説明する。
【００７８】
画像閲覧手段を起動して画面Ａを表示し、すでにスキャンされた未整理の各種データを閲覧する。また、これと同時に、個体識別フォルダ格納手段を起動して画面Ｂを表示し、患者番号を入力することにより、画面Ｃで示される患者番号別整理レイアウトを表示する。画面Ｃでは、保険証、説明用紙、見積、口腔内写真などが表示されており、画面Ａより所望のデータをドラッグし画面Ｃにドロップすることにより、画面Ｄで示されるように、画像閲覧手段から個体識別フォルダ格納手段にデータが移動し、ファイル名が確定されてファイルが格納される。画面Ｄでは、選択しているファイルの所在位置（ファイルパス）を表示する欄が上部に表示される。
【００７９】
次に、画像スキャンの自動化の他の実施の形態を説明する。
【００８０】
スキャン用ソフトを起動すると、図４４に示される画面が表示される。この画面には、患者番号の入力、印刷、用紙の大きさや白黒、カラー、ＡＤＦもしくは原稿台、片面もしくは両面等各種設定データの選択、種類の指定などの各種項目が設けられている。上記項目を各種設定し、スキャン開始ボタン（ＯＫボタン）を押す。これらのデータは予めパソコンにインストールされているドライバーソフト（スキャナメーカーが提供するスキャナを起動するソフト）に引き渡される。スキャンが終わると生成されたデータは画像閲覧手段に格納され、患者番号、日付、Ｔ１（Ｔｅｍｐｏｒａｒｙ１）などを組合わせた仮名称が付けられる。次に、自動整理が行なわれ、患者番号、日付、保険証、画像種別などを組合わせた確定名称が付けられる。ファイル名が確定している場合は、自動整理及びレイアウト表示を行う。図４４に示される画面で印刷を選択すると、スキャンされたデータが画像閲覧手段に格納され、画像閲覧手段の印刷ボタンを押すと、カラーコピーと同じ機能で印刷を行う。
【００８１】
各種データの整理方法の他の実施の形態を図４３に基づいて説明する。
図４５（ａ）は、手術前、手術中、手術後の画像データを各部位毎にドラッグアンドドロップしてファイル名をつけて保存する例を示す図である。患者番号、日付時刻及び所定部位（１，２又は３等）に画像データを所定の枠に貼り付けることにより所定のファイル名が自動的に付けられる。
（ｂ）は所定部位の画像データを表示した例を示す図である。患者番号、日付時刻の後に所定の部位番号（この場合１）が画面の上に表示される。この場合には、１の部位に貼り付けられた画像データを４枚表示している。画像データの上に記載されているＡ，Ｂ，Ｃは手術前、手術中、手術後に対応している。Ａ，Ｂ，Ｃの表示は、説明のために表示しているものであり、実際には表示されず、手術日を基準に判断している。
（ｃ）は、所定部位（１）の画像データを、手術前、手術中、手術後に整理して保存するためのレイアウト画面である。レイアウト画面に３個の画像表示枠を作成して、ドラッグアンドドロップしてファイル名称をつけて保存する。ファイル名称は、ファイル名の末尾に手術前、手術中、手術後に対応して、Ａ，Ｂ，Ｃをつけるようにする。なお、本実施の形態では、Ａ，Ｂ，Ｃとしているが、ユーザの任意の記号、数字等としても良いことは勿論である。このように、レイアウトシステムを利用することにより、ファイル名を、患者番号−日付時刻−画像種別−部位（位置）−術前（中、後）というように自動生成することができる。
このように、同じ部位の画像データをさらに階層的に分類整理して保存することも可能である。本実施の形態では、手術前、手術中、手術後の３種類に分類しているが、用途に応じて他の分類項目により分類することももちろん可能である。この場合にも、レイアウトシステムを利用することにより、ファイル名を、患者番号−日付時刻−画像種別−部位（位置）−その他の分類項目というように自動生成することができる。
【００８２】
なお、本実施の形態では、Ｘ線写真等の画像データをレイアウト表示して分類して保存整理するようにしているが、これに限定されるものではなく、データとして保存可能なものであればどのようなものであっても良い。例えば、ＶＴＲで撮影された動画、音声データ等のようなものであっても良い。
【００８３】
本実施の形態では、患者毎のフォルダ単位でデータを管理するようにしているが、これに限定するものではなく、複数の患者フォルダに跨る画像データのレイアウト表示、データ再利用も可能とすることもできる。
【００８４】
【発明の効果】
以上説明したように、請求項１記載の本願発明によれば、画面上に、自由にレイアウトを作成することができ、画像データを指定してレイアウトの所望の位置に貼り付けるだけで、画像データを入力することができるため、目的に合ったレイアウトの画像を容易に得ることができる。また、従来のＸ線写真の１０枚法、１４枚法のフォルダへのマウントと同じような感覚で画像データの登録ができるため、コンピュータに不慣れなユーザの負担を軽減することができる。
【００８５】
レイアウト上の画像毎に画像識別番号をつけて画像座標を記憶させるようにしたため、自由なレイアウトが可能となる。
【００８６】
また、請求項２記載の発明によれば、画像データをレイアウトの所定位置に貼り付けるだけで自動的に画像データの部位がファイル名に登録されるため、画像データ毎にいちいち部位をキーボードで手作業にて入力して登録するという作業を行う必要がないため、操作性が格段に向上する。
【００８７】
画像データを独立したファイルとして扱うことにより、画像データを再利用することが容易に行うことができる。
【００８８】
また、請求項３記載の発明によれば、画像データを入力するだけで更新日時がファイル名として登録されるため、画像データを入力するたびに、更新日時を入力して登録するという作業を行う必要がない。
【００８９】
また、請求項４記載の発明によれば、画像データの大きさ、形状、位置を任意のレイアウトで配置することができるので、歯科画像を独自の目的にあったレイアウトで配置することができ、データの活用及び患者への説明を容易に行うことができる。
【００９０】
また、請求項５記載の発明によれば、取り込んだ画像データを個体識別フォルダに格納することができるので、各人毎のデータの管理を容易に行うことができる。個体識別フォルダに格納するため、データの保管場所を記憶するデータベースが不要となる。
【００９１】
また、請求項６記載の発明によれば、患者毎に画像データの管理を行うことができる。
【００９２】
また、請求項７記載の本願発明によれば、氏名等の識別可能な文字列を入力することにより、ユーザがファイル名を見ただけで識別し易く、画像データを呼び出す際の番号入力ミスのチェック等が容易になる。
【００９３】
また、請求項８記載の発明によれば、ファイル名を見ただけでユーザが画像データを特定し易くなっているため、画面に表示されている画像データを指定して利用するソフトの作業領域又はフォルダに貼り付けるだけで画像データの再利用が可能となる。また、画像データが保存されているフォルダから直接他のソフトウエアに画像データを利用することも可能となる。
【００９４】
また、請求項９記載の発明によれば、取り込まれた画像データを患者別フォルダに容易に移動整理することができる。
【００９５】
また、請求項１０記載の発明によれば、患者番号を入力するだけで画像を閲覧することができるので、画像閲覧を容易に行うことができる。
【００９６】
また、請求項１１記載の発明によれば、画像種別を口腔内写真、デンタルＸ線写真等のように細かく分類し、表示したことにより、ファイル名を見ただけで画像データの種類を判断することができる。
【００９７】
また、請求項１２記載の発明によれば、拡大表示、複数の画面の同時表示など複数の表示方法を可能としたことにより、所望の表示方法で画像データを表示することができる。
【００９８】
また、請求項１３記載の発明によれば、画像データを実際寸法をはじめとする任意の寸法で出力印刷することができるので、画像データを所望の大きさで印刷することができる。また、パントモＸ線写真は、実際の大きさの１．３倍程度の大きさに写るが、実際の寸法に自動的に換算して印刷されるので、ユーザが補正のための換算を行う必要がなくなる。
【００９９】
また、請求項１４記載の発明によれば、画像データは静止画像だけでなく、動画、音声データを含むものについて、レイアウト表示することができるので、各種データの整理が可能となり、幅広くデータ整理を行うことができる。
【図面の簡単な説明】
【図１】画像取込整理手段の手動での作業のフローチャートである。
【図２】画像取込整理手段のソフトによる自動作業のフローチャートある。
【図３】画像取込整理手段の患者番号を入力する画面を示す図である。
【図４】画像取込整理手段の患者名を確認する画面を示す図である。
【図５】画像取込整理手段の氏名入力画面を示す図である。
【図６】画像取込整理手段のイメージングプレートの種類を選択する画面を示す図である。
【図７】画像取込整理手段の「実行」ボタンをクリックする画面を示す図である。
【図８】画像閲覧手段の患者番号を入力する画面を示す図である。
【図９】画像閲覧手段の名前検索を行う画面を示す図である。
【図１０】画像閲覧手段が起動した状態を示す図である。
【図１１】画像取込整理手段による自動取り込みの終了通知メッセージが表示された画面を示す図である。
【図１２】画像閲覧手段のレイアウトと取り込まれた画像が表示された画面を示す図である。
【図１３】取り込まれた画像をドラッグし、画像閲覧手段上の該当部位の枠にドロップする状態を示す図である。
【図１４】画像閲覧手段のレイアウト上で画像をドラッグし、移動先の枠にドロップする状態を示す図である。
【図１５】画像の取り込み・整理を行う状態を示す図である。
【図１６】各画像の拡大表示を示す図である。
【図１７】部位別表示を示す図である。
【図１８】日付別表示を示す図である。
【図１９】画像管理２を起動し、患者番号を入力する画面を示す図である。
【図２０】画像閲覧手段を起動した画面を示す図である。
【図２１】画像を閲覧したい患者番号を入力する画面を示す図である。
【図２２】Ｘ線写真が表示された画面を示す図である。
【図２３】画像閲覧手段を起動し、目的にあったレイアウトを選択する画面を示す図である。
【図２４】任意のレイアウトで表示された画像を示す図である。
【図２５】任意のレイアウトで表示された画像を示す図である。
【図２６】デジタル画像整理のフローチャートである。
【図２７】個体識別フォルダ格納手段を起動し、患者番号を入力する画面を示す図である。
【図２８】登録する画像の種類を選択し、日付を入力する画面を示す図である。
【図２９】登録したい画像をドラッグ＆ドロップする画面を示す図である。
【図３０】ドロップしたファイル名が表示された状態を示す図である。
【図３１】患者のフォルダの中から目的のフォルダを開く状態を示す図である。
【図３２】見つけ出した画像ファイルが表示された図である。
【図３３】フォルダ構造を示す図である。
【図３４】画像閲覧手段で印刷する患者の患者番号を指定して開いた画面を示す図である。
【図３５】（ａ）出力印刷されたデータの一例である。
（ｂ）出力印刷されたデータの一例である。
（ｃ）出力印刷されたデータの一例である。
【図３６】画像閲覧手段に表示されている画像をデスクトップにコピーした状態を示す図である。
【図３７】画像データをメーラソフトにドロップする状態を示す図である。
【図３８】本システムによるレイアウトの一例である。
【図３９】デジタル画像閲覧のフローチャートである。
【図４０】コンピュータ画面上に任意の座標を持たせる方法を説明する図である。
【図４１】部位と番号の対応例である。
【図４２】画像データ整理の流れを示すフローチャートである。
【図４３】各種データの整理方法の他の実施の形態を説明する図である。
【図４４】画像スキャンの自動化の他の実施の形態を説明する図である。
【図４５】画像データの整理方法の他の実施の形態を説明する図であり、（ａ）は、手術前、手術中、手術後の画像データを各部位毎にドラッグアンドドロップしてファイル名をつけて保存する例を示す図、（ｂ）は、所定部位の画像データを表示した例を示す図、（ｃ）は、所定部位について手術前、手術中、手術後を分類するためのレイアウト画面を作成して、ドラッグアンドドロップしてファイル名称をつけて保存する例を示す図である。
【図４６】画像データの整理方法についての概念図である。
【図４７】画像データの表示及び印刷の概念図である。
【図４８】従来技術のレイアウトの一例である。
【図１】
2004013509.tif 000003
【図２】
2004013509.tif 000004
【図３】
2004013509.tif 000005
【図４】
2004013509.tif 000006
【図５】
2004013509.tif 000007
【図６】
2004013509.tif 000008
【図７】
2004013509.tif 000009
【図８】
2004013509.tif 000010
【図９】
2004013509.tif 000011
【図１０】
2004013509.tif 000012
【図１１】
2004013509.tif 000013
【図１２】
2004013509.tif 000014
【図１３】
2004013509.tif 000015
【図１４】
2004013509.tif 000016
【図１５】
2004013509.tif 000017
【図１６】
2004013509.tif 000018
【図１７】
2004013509.tif 000019
【図１８】
2004013509.tif 000020
【図１９】
2004013509.tif 000021
【図２０】
2004013509.tif 000022
【図２１】
2004013509.tif 000023
【図２２】
2004013509.tif 000024
【図２３】
2004013509.tif 000025
【図２４】
2004013509.tif 000026
【図２５】
2004013509.tif 000027
【図２６】
2004013509.tif 000028
【図２７】
2004013509.tif 000029
【図２８】
2004013509.tif 000030
【図２９】
2004013509.tif 000031
【図３０】
2004013509.tif 000032
【図３１】
2004013509.tif 000033
【図３２】
2004013509.tif 000034
【図３３】
2004013509.tif 000035
【図３４】
2004013509.tif 000036
【図３５】
2004013509.tif 000037
【図３６】
2004013509.tif 000038
【図３７】
2004013509.tif 000039
【図３８】
2004013509.tif 000040
【図３９】
2004013509.tif 000041
【図４０】
2004013509.tif 000042
【図４１】
2004013509.tif 000043
【図４２】
2004013509.tif 000044
【図４３】
2004013509.tif 000045
【図４４】
2004013509.tif 000046
【図４５】
2004013509.tif 000047
【図４６】
2004013509.tif 000048
【図４７】
2004013509.tif 000049
【図４８】
2004013509.tif 000050